(57)【要約】【課題】  簡単な構造で安価に製造でき、圧電素子ユニットへの電気的な配線強度を向上させて、超音波発生素子を設計本来の特性で使用することができるようにした超音波振動デバイスの提供。【解決手段】  超音波振動デバイス２は、複数の圧電体６１および複数の電極６２，６３が積層された積層振動子４１を挟むように配設された２つのマス材４２，４３と、電力を印加または帰還する２つの配線ケーブル３７，３８と、正電側または負電側の複数の電極６２，６３の位置に合わせて、２つの配線ケーブル３７，３８のそれぞれのケーブルシース３７ｂ，３８ｂが長手軸方向に沿って複数個所剥ぎ取られてケーブル芯線３７ａ，３８ａを露出させるように形成された複数の芯線露出部３７ｃ，３８ｃと、露出されたケーブル芯線３７ａ，３８ａを複数の電極６２，６３に電気的に接続して固定する接続部５５，５６と、を具備する。【選択図】図３
2015144788.tif 000002
【特許請求の範囲】
【請求項１】
複数の圧電体および複数の電極が積層された積層振動子と、
前記積層振動子を挟むように配設された２つのマス材と、
前記積層振動子に電力を印加または帰還する２つの配線ケーブルと、
正電側または負電側の前記複数の電極の位置に合わせて、前記２つの配線ケーブルのそれぞれのケーブルシースが長手軸方向に沿って複数個所剥ぎ取られて前記ケーブル芯線を露出させるように形成された複数の芯線露出部と、
前記複数の芯線露出部により露出された前記ケーブル芯線を前記複数の電極に電気的に接続して固定する接続部と、
を具備することを特徴とする超音波振動デバイス。
【請求項２】
前記２つの配線ケーブルは、電気的に接続される前記複数の電極の厚さ方向の寸法以上の長さで前記複数の芯線露出部によって前記ケーブル芯線が露出されていることを特徴とする請求項１に記載の超音波振動デバイス。
【請求項３】
前記２つの配線ケーブルは、前記複数の芯線露出部による前記ケーブル芯線の露出間において電気的に接続されない前記複数の電極の厚さ方向の寸法以上の長さで前記ケーブルシースが前記ケーブル芯線を被覆していることを特徴とする請求項１または請求項２に記載の超音波振動デバイス。
【請求項４】
前記２つの配線ケーブルは、前記積層振動子４１の積層方向を横軸とした略正弦曲線状に設けられていることを特徴とする請求項１から請求項３のいずれか１項に記載の超音波振動デバイス。
【請求項５】
前記ケーブル芯線が縒り線であって、前記縒り線を前記複数の電極に電気的に接続して固定する前記接続部がクリームはんだまたは導電ペーストを固体化して形成することを特徴とする請求項１から請求項４のいずれか１項に記載の超音波振動デバイス。
【請求項６】
前記２つの配線ケーブルは、前記複数の電極に対向して前記ケーブル芯線が露出する位置の前記ケーブルシースの一部だけ剥ぎ取った前記複数の芯線露出部が形成されていることを特徴とする請求項１から請求項５のいずれか１項に記載の超音波振動デバイス。
【請求項７】
請求項１から請求項６のいずれか１項に記載の前記超音波振動デバイスと、
前記超音波振動デバイスで発生した超音波振動が伝達され生体組織を処置するプローブ先端部と、
を具備することを特徴とする超音波医療装置。
【発明の詳細な説明】
【技術分野】
【０００１】
本発明は、超音波振動を励振する超音波振動デバイス、この超音波振動デバイスを備えた超音波医療装置に関する。
【背景技術】
【０００２】
近年、超音波医療装置には、例えば、腹腔鏡下外科手術において、止血／切開に用いられ、超音波振動による摩擦／発熱を利用した超音波処置具があり、この超音波処置具には超音波振動を発生させる超音波振動子が設けられている。
【０００３】
このような超音波振動子は、例えば、特許文献１に開示されるように、導電性接着剤を用いて圧電素子を積層した圧電素子ユニットを、両端部にねじ切りがされた金属製の筒に挿入し、その両端部から金属部材をねじ込んで固定することにより構成されるものが知られている。
【０００４】
特許文献１に開示された超音波振動子は、圧電振動子を接着による積層構造とすることで、従来のボルト締めランジュバン型振動子と比較して、ボルトを通すための穴を必要としないため、振動子の有効体積を効率よく増やせるようにしている。
【先行技術文献】
【特許文献】
【０００５】
【特許文献１】特開２０１０―３４８１７号公報
【発明の概要】
【発明が解決しようとする課題】
【０００６】
ところで、特許文献１に開示された従来の超音波振動子は、圧電素子ユニットにおける同極の端子板同士をそれぞれ導電フィルムまたは導電ペーストの導電層により電気的に接合して、短絡しないように異極の端子板に対して導電層を絶縁するよう絶縁フィルムまたは絶縁ペーストの絶縁層を設けた構成となっている。そして、導電層は、リード線がはんだなどにより電気的に接続される。
【０００７】
しかしながら、従来の超音波振動子では、超音波医療装置に内蔵されて高振幅領域で使用される場合、導電層および絶縁層の破断および導電層とリード線の接続部の電気的接触不良が生じる可能性が考えられ、使用可能な振幅の範囲が限られてしまい、結果として、超音波発生素子としての本来の特性が得られない、または共振体として駆動できない場合がある。
【０００８】
さらに、従来の超音波振動子では、導電フィルムまたは導電ペーストの導電層および絶縁フィルムまたは絶縁ペーストの絶縁層を設けた構成であるため、組立工程が煩雑となるばかりか、安価に製造できないという課題があった。
【０００９】
そこで、本発明は、上記事情に鑑みてなされたものであって、簡単な構造で安価に製造でき、圧電素子ユニットへの電気的な配線強度を向上させて、超音波発生素子を設計本来の特性で使用することができるようにした超音波振動デバイスおよび超音波医療装置を提供することを目的とする。
【課題を解決するための手段】
【００１０】
本発明における一態様の超音波振動デバイスは、複数の圧電体および複数の電極が積層された積層振動子と、前記積層振動子を挟むように配設された２つのマス材と、前記積層振動子に電力を印加または帰還する２つの配線ケーブルと、正電側または負電側の前記複数の電極の位置に合わせて、前記２つの配線ケーブルのそれぞれのケーブルシースが長手軸方向に沿って複数個所剥ぎ取られて前記ケーブル芯線を露出させるように形成された複数の芯線露出部と、前記複数の芯線露出部により露出された前記ケーブル芯線を前記複数の電極に電気的に接続して固定する接続部と、を具備する。
【００１１】
また、本発明における一態様の超音波医療装置は、複数の圧電体および複数の電極が積層された積層振動子と、前記積層振動子を挟むように配設された２つのマス材と、前記積層振動子に電力を印加または帰還する２つの配線ケーブルと、正電側または負電側の前記複数の電極の位置に合わせて、前記２つの配線ケーブルのそれぞれのケーブルシースが長手軸方向に沿って複数個所剥ぎ取られて前記ケーブル芯線を露出させるように形成された複数の芯線露出部と、前記複数の芯線露出部により露出された前記ケーブル芯線を前記複数の電極に電気的に接続して固定する接続部と、を備えた超音波振動デバイスと、前記超音波振動デバイスで発生した超音波振動が伝達され生体組織を処置するプローブ先端部と、を具備する。
【発明の効果】
【００１２】
本発明によれば、簡単な構造で安価に製造でき、圧電素子ユニットへの電気的な配線強度を向上させて、超音波発生素子を設計本来の特性で使用することができるようにした超音波振動デバイスおよび超音波医療装置を提供することができる。
【図面の簡単な説明】
【００１３】
【図１】本発明の一態様に係る超音波医療装置の全体構成を示す断面図
【図２】同、振動子ユニットの全体の概略構成を示す図
【図３】同、超音波振動子の構成を示す斜視図
【図４】同、超音波振動子の構成を示す側面図
【図５】同、電気ケーブルの先端から導出する２つの配線ケーブルの構成を示す斜視図
【図６】同、ケーブルシースを剥ぎ取った２つの配線ケーブルの構成を示す斜視図
【図７】同、超音波振動子の積層振動子に２つの配線ケーブルを電気的に接続する状態を示す分解斜視図
【図８】同、負電側の配線ケーブルが超音波振動子の積層振動子の一側面に電気的に接続された状態を示す斜視図
【図９】同、正電側の配線ケーブルが超音波振動子の積層振動子の一側面に電気的に接続された状態を示す斜視図
【図１０】同、第１の変形例の一態様に係り、波線状に配線ケーブルを超音波振動子の積層振動子の一側面に電気的に接続された状態を示す側面図
【図１１】同、第１の変形例の図１０とは異なる他の態様に係り、波線状に配線ケーブルを超音波振動子の積層振動子の一側面に電気的に接続された状態を示す側面図
【図１２】同、第２の変形例に係り、ケーブルシースを剥ぎ取った配線ケーブルの構成を示す斜視図
【図１３】同、第２の変形例に係り、ケーブルシースを剥ぎ取った配線ケーブルの構成を示す平面図
【図１４】同、第２の変形例に係り、図１３とは異なる方向から見たケーブルシースを剥ぎ取った配線ケーブルの構成を示す平面図
【図１５】同、第２の変形例に係り、図１３のＸＶ−ＸＶ線に沿った配線ケーブルの断面図
【図１６】同、第２の変形例に係り、２つの配線ケーブルが超音波振動子の積層振動子の一側面に電気的に接続された状態を示す断面図
【発明を実施するための形態】
【００１４】
以下、図を用いて本発明について説明する。なお、以下の説明において、各実施の形態に基づく図面は、模式的なものであり、各部分の厚みと幅との関係、夫々の部分の厚みの比率などは現実のものとは異なることに留意すべきであり、図面の相互間においても互いの寸法の関係や比率が異なる部分が含まれている場合がある。
【００１５】
先ず、本発明の一態様の超音波振動を励振する超音波振動デバイスを備えた超音波医療装置の実施の形態について、図面に基づいて以下に説明する。  
図１は、超音波医療装置の全体構成を示す断面図、図２は振動子ユニットの全体の概略構成を示す図、図３は超音波振動子の構成を示す斜視図、図４は超音波振動子の構成を示す側面図、図５は電気ケーブルの先端から導出する２つの配線ケーブルの構成を示す斜視図、図６はケーブルシースを剥ぎ取った２つの配線ケーブルの構成を示す斜視図、図７は超音波振動子の積層振動子に２つの配線ケーブルを電気的に接続する状態を示す分解斜視図、図８は負電側の配線ケーブルが超音波振動子の積層振動子の一側面に電気的に接続された状態を示す斜視図、図９は正電側の配線ケーブルが超音波振動子の積層振動子の一側面に電気的に接続された状態を示す斜視図、図１０は第１の変形例の一態様に係り、波線状に配線ケーブルを超音波振動子の積層振動子の一側面に電気的に接続された状態を示す側面図、図１１は第１の変形例の図１０とは異なる他の態様に係り、波線状に配線ケーブルを超音波振動子の積層振動子の一側面に電気的に接続された状態を示す側面図、図１２は第２の変形例に係り、ケーブルシースを剥ぎ取った配線ケーブルの構成を示す斜視図、図１３は第２の変形例に係り、ケーブルシースを剥ぎ取った配線ケーブルの構成を示す平面図、図１４は第２の変形例に係り、図１３とは異なる方向から見たケーブルシースを剥ぎ取った配線ケーブルの構成を示す平面図、図１５は第２の変形例に係り、図１３のＸＶ−ＸＶ線に沿った配線ケーブルの断面図、図１６は第２の変形例に係り、２つの配線ケーブルが超音波振動子の積層振動子の一側面に電気的に接続された状態を示す断面図である。
【００１６】
（超音波医療装置）
図１に示す、超音波医療装置１は、主に超音波振動を発生させる超音波振動子２を有する振動子ユニット３と、その超音波振動を用いて患部の凝固／切開処置を行うハンドルユニット４とが設けられている。
【００１７】
ハンドルユニット４は、操作部５と、長尺な外套管７からなる挿入シース部８と、先端処置部３０とを備える。挿入シース部８の基端部は、操作部５に軸回り方向に回転可能に取り付けられている。
【００１８】
先端処置部３０は、挿入シース部８の先端に設けられている。ハンドルユニット４の操作部５は、操作部本体９と、固定ハンドル１０と、可動ハンドル１１と、回転ノブ１２とを有する。操作部本体９は、固定ハンドル１０と一体に形成されている。
【００１９】
操作部本体９と固定ハンドル１０との連結部には、背面側に可動ハンドル１１を挿通するスリット１３が形成されている。可動ハンドル１１の上部は、スリット１３を通して操作部本体９の内部に延出されている。
【００２０】
スリット１３の下側の端部には、ハンドルストッパ１４が固定されている。可動ハンドル１１は、ハンドル支軸１５を介して操作部本体９に回動可能に取り付けられている。そして、ハンドル支軸１５を中心として可動ハンドル１１が回動する動作に伴い、可動ハンドル１１が固定ハンドル１０に対して開閉操作されるようになっている。
【００２１】
可動ハンドル１１の上端部には、略Ｕ字状の連結アーム１６が設けられている。また、挿入シース部８は、外套管７と、この外套管７内に軸方向に移動可能に挿通された操作パイプ１７とを有する。
【００２２】
外套管７の基端部には、先端側部分よりも大径な大径部１８が形成されている。この大径部１８の周囲に回転ノブ１２が装着されるようになっている。
【００２３】
操作パイプ１９の外周面には、リング状のスライダ２０が軸方向に沿って移動可能に設けられている。スライダ２０の後方には、コイルばね（弾性部材）２１を介して固定リング２２が配設されている。
【００２４】
さらに、操作パイプ１９の先端部には、把持部２３の基端部が作用ピンを介して回動可能に連結されている。この把持部２３は、プローブ６の先端部３１と共に超音波医療装置１の処置部を構成している。そして、操作パイプ１９が軸方向に移動する動作時に、把持部２３は、作用ピンを介して前後方向に押し引き操作される。
【００２５】
このとき、操作パイプ１９が手元側に移動操作される動作時には作用ピンを介して把持部２３が支点ピンを中心に反時計回り方向に回動される。
【００２６】
これにより、把持部２３がプローブ６の先端部３１に接近する方向（閉方向）に回動する。このとき、片開き型の把持部２３と、プローブ６の先端部３１との間で生体組織を把持することができる。
【００２７】
このように生体組織を把持した状態で、超音波電源から電力を超音波振動子２に供給し、超音波振動子２を振動させる。この超音波振動は、プローブ６の先端部３１まで伝達される。そして、この超音波振動を用いて把持部２３とプローブ６の先端部３１との間で把持されている生体組織の凝固／切開処置を行う。
【００２８】
（振動子ユニット）
ここで、振動子ユニット３について説明する。  
振動子ユニット３は、図２に示すように、超音波振動子２と、この超音波振動子２で発生した超音波振動を伝達する棒状の振動伝達部材であるプローブ６とを一体的に組み付けたものである。
【００２９】
超音波振動子２は、超音波振動子の振幅を増幅するホーン３２が連設されている。ホーン３２は、ステンレス鋼、ジュラルミン、あるいは例えば６４Ｔｉ（Ｔｉ−６Ａｌ−４Ｖ）などのチタン合金によって形成されている。
【００３０】
ホーン３２は、先端側に向かうに従って外径が細くなる円錐形状に形成されており、基端外周部に外向フランジ３３が形成されている。なお、ここでホーン３２の形状は円錐形状に限るものではなく、先端側に向かうに従って外径が指数関数的に細くなる指数形状や、先端側に向かうに従って段階的に細くなるステップ形状などであってもよい。
【００３１】
プローブ６は、例えば６４Ｔｉ（Ｔｉ−６Ａｌ−４Ｖ）などのチタン合金によって形成されたプローブ本体３４を有する。このプローブ本体３４の基端部側には、上述のホーン３２に連設された超音波振動子２が配設されている。
【００３２】
このようにして、プローブ６と超音波振動子２とを一体化した振動子ユニット３が形成されている。なお、プローブ６は、プローブ本体３４とホーン３２とが螺着されており、プローブ本体３４とホーン３２が接合される。
【００３３】
そして、超音波振動子２で発生した超音波振動は、ホーン３２で増幅されたのち、プローブ６の先端部３１側に伝達するようになっている。プローブ６の先端部３１には、生体組織を処置する後述する処置部が形成されている。
【００３４】
また、プローブ本体３４の外周面には、軸方向の途中にある振動の節位置の数箇所に弾性部材でリング状に形成された間隔をあけて２つのゴムライニング３５が取り付けられている。そして、これらのゴムライニング３５によって、プローブ本体３４の外周面と後述する操作パイプ１９との接触を防止するようになっている。
【００３５】
即ち、挿入シース部８の組み立て時に、振動子一体型プローブとしてのプローブ６は、操作パイプ１９の内部に挿入される。このとき、ゴムライニング３５によってプローブ本体３４の外周面と操作パイプ１９との接触を防止している。
【００３６】
また、超音波振動子２は、超音波振動を発生させるための電流を供給する図示しない電源装置本体に電気ケーブル３６を介して電気的に接続される。この電気ケーブル３６内の配線を通じて電源装置本体から電力を超音波振動子２に供給することによって、超音波振動子２が駆動される。
【００３７】
以上の説明から、振動子ユニット３は、超音波振動を発生させる超音波振動子２、この超音波振動子２で発生した超音波振動を増幅させるホーン３２および増幅された超音波振動を伝達するプローブ６を備えている。
【００３８】
（超音波振動子）
ここで、本発明の超音波振動デバイスとしての超音波振動子２について以下に説明する。  
振動子ユニット３の超音波振動子２は、図３および図４に示すように、先端から順に振動伝達部材の１つであるプローブ本体３４に螺着などされて接続された上述のホーン３２と、このホーン３２の後方に連設された、ここでは矩形状（四角柱形状）の超音波発生素子である積層圧電体ユニットとしての積層振動子４１と、ホーン３２の基端から電気ケーブル３６まで積層振動子４１を覆うカバー体５１と、を有して構成されている。
【００３９】
なお、積層振動子４１を覆うカバー体５１は、基端部分に電気ケーブル３６の先端部分を覆う折れ止５２を有している。この電気ケーブル３６からは、リード線としての２つの配線ケーブル３７，３８が導出されている。これら２つの配線ケーブル３７，３８は、積層振動子４１に電気的に接続されている。
【００４０】
積層振動子４１は、前方側がホーン３２と螺着などによって接続された、２つのマス材である、ここでは矩形状（四角柱状）の金属ブロック体からなるフロントマス４２に接合され、後方側が矩形状（四角柱状）の金属ブロック体からなるバックマス４３に接合されている。
【００４１】
なお、フロントマス４２およびバックマス４３は、超音波振動の吸収が小さく強度が強いことが必要であるため、ホーン３２と同様に、ジュラルミンなどの金属によって形成されている。また、フロントマス４２およびバックマス４３は、ステンレス鋼、または例えば、６４Ｔｉ（Ｔｉ−６Ａｌ−４Ｖ）などのチタン合金でもよい。また、フロントマス４２およびバックマス４３の長さは、超音波振動子２が所望の共振周波数となるように設計されている。
【００４２】
さらに、積層振動子４１は、フロントマス４２およびバックマス４３との間に絶縁性があり振動が減衰し難い絶縁部材を挟んでも良い。この絶縁部材は、例えば，アルミナ，窒化珪素などのセラミクス系材料を矩形状（四角柱状）の板体に形成した絶縁板を用いるとよい。
【００４３】
このように、積層振動子４１は、絶縁部材を設けることで、図１に示した超音波医療装置１が高周波を用いて処置などを行う医療用の高周波メスなどの処置具と併用されても、処置具からの高周波による破損などが防止される。
【００４４】
積層振動子４１は、キュリー点の高い非鉛の単結晶材料から形成された圧電素子が用いられ、この圧電素子である圧電単結晶チップとしての圧電単結晶体６１が複数、ここでは４つが積層配置されている。
【００４５】
これら４つの圧電単結晶体６１、フロントマス４２およびバックマス４３の間には、正電極層となる正電側電極６２と負電極層となる負電側電極６３が交互に介装されている。  
【００４６】
なお、正電側電極６２と負電側電極６３は、各圧電単結晶体６１間、圧電単結晶体６１とフロントマス４２またはバックマス４３との間に、これらを互いに接合する接合材料としての非鉛はんだなどのろう材、および導電性ペーストなどを所定の厚さで介装させることで形成する。このとき、圧電単結晶の正電極・負電極には、金などの金属がコンタクトメタル層を介して成膜されている。
【００４７】
また、積層振動子４１は、圧電単結晶体６１間、圧電単結晶体６１とフロントマス４２またはバックマス４３との間に設けられた正電側電極６２または負電側電極６３に上述した配線ケーブル３７，３８がクリームはんだ、導電性ペーストなどにより電気的に接続されている。
【００４８】
（配線ケーブル）
ここで、本実施の形態の配線ケーブル３７，３８の構成について、詳しく説明する。  
２つの配線ケーブル３７，３８は、図５に示すように、ケーブル芯線３７ａ，３８ａを覆う絶縁被覆であるケーブルシース３７ｂ，３８ｂが、レーザワイヤストリッパなどの装置によって、図６に示すように、積層振動子４１の正電側電極６２または負電側電極６３と電気的に接続される部分のみ剥がされて芯線露出部３７ｃ，３８ｃが複数形成される。
【００４９】
なお、２つの配線ケーブル３７，３８は、積層振動子４１の正電側電極６２または負電側電極６３の間隔に合わせて、ケーブル芯線３７ａ，３８ａを露出させる芯線露出部３７ｃ，３８ｃが形成され、その部分においてケーブルシース３７ｂ，３８ｂが剥ぎ取られる。
【００５０】
また、２つの配線ケーブル３７，３８は、電気的に接続される正電側電極６２または負電側電極６３の厚さ方向の寸法以上の長さでケーブル芯線３７ａ，３８ａが長手軸方向に露出するように、ケーブルシース３７ｂ，３８ｂが剥ぎ取られる長さが設定されている。
【００５１】
そして、２つの配線ケーブル３７，３８は、長手軸方向に沿ったケーブル芯線３７ａ，３８ａの露出間において、電気的に接続されない正電側電極６２または負電側電極６３の厚さ方向の寸法以上の長さで、ケーブルシース３７ｂ，３８ｂがケーブル芯線３７ａ，３８ａを被覆している。
【００５２】
具体的には、電気ケーブル３６の先端から延出する２つの配線ケーブル３７，３８において、電力が帰還する負電側として帰還ケーブルの配線ケーブル３７が３つの負電側電極６３と電気的に接続されるため、長手軸方向に沿って３つの負電側電極６３に対応した間隔があけられた３箇所でケーブル芯線３７ａが剥き出された状態にケーブルシース３７ｂが剥がされることで負電側電極６３の厚さ方向の寸法以上の長さを有する芯線露出部３７ｃが形成される。
【００５３】
また、電力を印加する正電側として印加ケーブルの配線ケーブル３８は、２つの正電側電極６２と電気的に接続されるため、長手軸方向に沿って２つの正電側電極６２に対応した間隔があけられた２箇所でケーブル芯線３８ａが剥き出された状態にケーブルシース３８ｂが剥がされることで正電側電極６２の厚さ方向の寸法以上の長さを有する芯線露出部３８ｃが形成される。
【００５４】
そして、各芯線露出部３７ｃ，３８ｃにおいてケーブル芯線３７ａ，３８ａが剥き出された２つの配線ケーブル３７，３８は、図７に示すように、積層振動子４１の側面に位置合わせが成されて取り付けられる。
【００５５】
ここでの２つの配線ケーブル３７，３８は、積層振動子４１の離反した異なる側面に電気的に接続されるように取り付けられる。なお、２つの配線ケーブル３７，３８は、互いが短絡しなければ、積層振動子４１の異なる側面または同じ側面のいずれかに取り付けられてもよい。
【００５６】
そして、各芯線露出部３７ｃ，３８ｃで露出するケーブル芯線３７ａ，３８ａと正電側電極６２または負電側電極６３との間にクリームはんだ、導電性ペーストなどが塗布される。
【００５７】
この状態から、図８および図９に示すように、リフローなどの加熱手段にてクリームはんだを溶融または導電性ペーストを焼結させて、ケーブル芯線３７ａ，３８ａと正電側電極６２または負電側電極６３を電気的に接続する接続部５５，５６が形成される。
【００５８】
このような構成により、超音波振動子２は、２つの配線ケーブル３７，３８のケーブル芯線３７ａ，３８ａが積層振動子４１の正電側電極６２または負電側電極６３と直接的に接続部５５，５６によって固定されて電気接続が取られた簡単な構成であるため、安価に製造できると共に、正電側電極６２または負電側電極６３に対する接続強度が向上する。
【００５９】
さらに、超音波振動子２は、２つの配線ケーブル３７，３８のケーブル芯線３７ａ，３８ａが積層振動子４１の正電側電極６２または負電側電極６３と電気的に接続される部分のみケーブルシース３７ｂ，３８ｂが剥かれた芯線露出部３７ｃ，３８ｃが形成されているため、別途絶縁材を用いなくても、負電側の配線ケーブル３７が正電側電極６２と、正電側の配線ケーブル３８が負電側電極６３と、短絡することなく電気的な絶縁性を確保することができる。
【００６０】
なお、２つの配線ケーブル３７，３８は、ケーブル芯線３７ａ，３８ａが単線よりも縒り線を用いることで、クリームはんだまたは導電性ペーストが固体化した接続部５５，５６との接触面積が増えることにより、正電側電極６２または負電側電極６３と確実な電気的接続が行え、さらに正電側電極６２または負電側電極６３に対する接続強度が向上して剥離などによる電気的接触不良を防止することができる。
【００６１】
以上の説明により、本実施の形態の超音波医療装置１に内蔵される超音波振動子２は、非常に簡単な構造により、安価に製造でき、駆動用の電力を印加して帰還させる配線である２つの配線ケーブル３７，３８の接続部分の強度を向上させて、超音波発生素子である積層振動子４１を設計本来の特性で使用することが可能となる。
【００６２】
なお、上述した超音波振動子２の積層振動子４１と電気的に接続される２つの配線ケーブル３７，３８は、以下に記載する各種変形例の構成としても良い。
【００６３】
（第１の変形例）
２つの配線ケーブル３７，３８は、図１０または図１１に示すように、積層振動子４１の積層方向を横軸とした略正弦曲線状とした所謂波線状に変形させた状態として、ケーブル芯線３７ａ，３８ａが積層振動子４１の正電側電極６２または負電側電極６３に接続されるようにしても良い（なお、図１０および図１１では配線ケーブル３７のみ図示）。
【００６４】
即ち、２つの配線ケーブル３７，３８は、直線ではなく波線形状として、正電側電極６２間または負電側電極６３間の距離よりも、クリームはんだまたは導電性ペーストからなる接続部５５，５６によって電気的に接続されケーブル芯線３７ａ，３８ａの２点間の距離の方が長くなっている。
【００６５】
このような構成により、超音波振動子２が高振幅で駆動しても、２つの配線ケーブル３７，３８の波線形状の部分が伸び縮みすることで、２つの配線ケーブル３７，３８と正電側電極６２または負電側電極６３を電気的に接続している接続部５５，５６に応力が掛かり難くなり、耐振動強度が向上する。
【００６６】
（第２の変形例）
２つの配線ケーブル３７，３８は、レーザワイヤストリッパなどの装置によって、図１２から図１５に示すように、積層振動子４１の正電側電極６２または負電側電極６３と対向して電気的に接続される部分として、ケーブル芯線３７ａ，３８ａを露出させる芯線露出部３７ｃ，３８ｃが長手軸回りである周方向にケーブルシース３７ｂ，３８ｂの一部、ここでは略半分だけ剥ぎ取った形状としても良い（なお、図１２では配線ケーブル３７のみ図示）。
【００６７】
即ち、２つの配線ケーブル３７，３８は、積層振動子４１の正電側電極６２または負電側電極６３と電気的に接続できるように、ケーブル芯線３７ａ，３８ａが長手軸回りである周方向の略半分だけ正電側電極６２または負電側電極６３に対向する位置で露出するようにケーブルシース３７ｂ，３８ｂを剥ぎ取った芯線露出部３７ｃ，３８ｃが形成されている。
【００６８】
なお、ここでも、２つの配線ケーブル３７，３８は、積層振動子４１の正電側電極６２または負電側電極６３の間隔に合わせて、ケーブル芯線３７ａ，３８ａを露出させる芯線露出部３７ｃ，３８ｃが複数形成され、その部分において、正電側電極６２または負電側電極６３の厚さ方向の寸法以上の長さでケーブル芯線３７ａ，３８ａが長手軸方向に露出するように、ケーブルシース３７ｂ，３８ｂが剥ぎ取られる長さが設定されている。
【００６９】
そして、各芯線露出部３７ｃ，３８ｃによってケーブル芯線３７ａ，３８ａが長手軸回りの周方向に略半分だけ露出された２つの配線ケーブル３７，３８は、積層振動子４１の側面と露出するケーブル芯線３７ａ，３８ａとが対向するように位置合わせが成されて、上述と同様に、ケーブル芯線３７ａ，３８ａと正電側電極６２または負電側電極６３との間にクリームはんだ、導電性ペーストなどが塗布される。
【００７０】
この状態から、図１６に示すように、リフローなどの加熱手段にてクリームはんだを溶融または導電性ペーストを焼結させて、長手軸回りの周方向に略半分だけ露出されたケーブル芯線３７ａ，３８ａと正電側電極６２または負電側電極６３を電気的に接続する接続部５５，５６が形成される。
【００７１】
このような構成により、２つの配線ケーブル３７，３８は、ケーブル芯線３７ａ，３８ａが露出する部分を小さくすることで、さらに絶縁性が向上すると共に、ケーブル芯線３７ａ，３８ａを被覆するケーブルシース３７ｂ，３８ｂが軸方向に動かなくなるため、２つの配線ケーブル３７，３８は、積層振動子４１の正電側電極６２または負電側電極６３への接続時に位置決めが容易になる。
【００７２】
なお、超音波振動子２は、第１の変形例と第２の変形例を組み合わせた構成としても良い。
【００７３】
また、上述では、超音波振動子２は、矩形ブロック状の最も安価に製造できる形状の例を挙げたが、これに限定されることなく、これら部材の形状が、例えば、円柱形状としたものでもよい。
【００７４】
さらに、上述の超音波振動子２は、積層振動子４１に非鉛の単結晶材料から形成された圧電素子が用いられ構成を例示したが、これに限定されることなく、チタン酸ジリコン酸鉛（ＰＺＴ,Ｐｂ（Ｚｒｘ,Ｔｉ１−Ｘ）Ｏ３）などの圧電素子を積層した構成にも適用可能な技術である。
【００７５】
上述の実施の形態に記載した発明は、その実施の形態および変形例に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得るものである。
【００７６】
例えば、実施の形態に示される全構成要件から幾つかの構成要件が削除されても、述べられている課題が解決でき、述べられている効果が得られる場合には、この構成要件が削除された構成が発明として抽出され得るものである。
【符号の説明】
【００７７】
１…超音波医療装置
２…超音波振動子
３…振動子ユニット
４…ハンドルユニット
５…操作部
６…プローブ
７…外套管
８…挿入シース部
９…操作部本体
１０…固定ハンドル
１１…可動ハンドル
１２…回転ノブ
１３…スリット
１４…ハンドルストッパ
１５…ハンドル支軸
１６…連結アーム
１７…操作パイプ
１８…大径部
１９…操作パイプ
２０…スライダ
２２…固定リング
２３…把持部
３０…先端処置部
３１…先端部
３２…ホーン
３３…外向フランジ
３４…プローブ本体
３５…ゴムライニング
３６…電気ケーブル
３７，３８…配線ケーブル
３７ａ，３８ａ…ケーブル芯線
３７ｂ，３８ｂ…ケーブルシース
３７ｃ，３８ｃ…芯線露出部
４１…積層振動子
４２…フロントマス
４３…バックマス
５１…カバー体
５２…折れ止
５５，５６…接続部
６１…圧電単結晶体
６２…正電側電極
６３…負電側電極
【図１】
2015144788.tif 000003
【図２】
2015144788.tif 000004
【図３】
2015144788.tif 000005
【図４】
2015144788.tif 000006
【図５】
2015144788.tif 000007
【図６】
2015144788.tif 000008
【図７】
2015144788.tif 000009
【図８】
2015144788.tif 000010
【図９】
2015144788.tif 000011
【図１０】
2015144788.tif 000012
【図１１】
2015144788.tif 000013
【図１２】
2015144788.tif 000014
【図１３】
2015144788.tif 000015
【図１４】
2015144788.tif 000016
【図１５】
2015144788.tif 000017
【図１６】
2015144788.tif 000018